(57)【特許請求の範囲】
【請求項１】
籾摺部１，揺動選別部３，混合米揚穀機４及び玄米揚穀機５を具備する籾摺選別機であって、機体の下部を構成する箱形の機体ケ−ス３１の内部には摺落米風選路１０で風選されて粃受樋１１に落下選別された粃を搬送する粃ラセン軸４４と、摺落米風選路１０で風選されて摺落米受樋１２に落下選別された玄米及び籾の混合米を搬送する摺落米ラセン軸５３とを備え、前記機体ケ−ス３１の後部には主モ−タ３２の一側部を左右一側にはみ出し状態で載置固定し、機体ケ−ス３１の前部には一側板の外側に取り付けられている軸受箱体３５及び他側板を介して吸引フアン１３のフアン軸１３ａを支架し、主モ−タ３２のはみ出し側のプ−リから伝動ベルト等の伝動装置を介して前記吸引フアン１３に動力を伝達する構成とし、前記機体ケ−ス３１の右側板には、メタルケ−ス４７を介して粃プ−リ４５を支架し、粃プ−リ４５の軸心部の多角形穴に前記粃ラセン軸４４の端部の多角形部を嵌合して一体的に回転する構成とし、前記粃プ−リ４５の外側部と混合米揚穀機４の下部の回転軸４９の内端部との間をカップリング５１を介して着脱自在に連結し、混合米揚穀機４の回転軸４９の外側にはプーリ５２を取り付け、前記摺落米ラセン軸５３の端部に摺落米プーリ５４を取り付け、前記プーリ５２と摺落米プーリ５４とに第４ベルト５５を巻回したことを特徴とする籾摺選別機。
【発明の詳細な説明】
【０００１】
【発明の属する技術分野】
この発明は、籾摺選別機の機体構成に関するものである。
【０００２】
【従来の技術】
従来の籾摺選別機の機体構成は、箱状に構成されていて下部に配置されている機体ケ−スには、その後部内方に主モ−タを配置し、その前部に摺落米風選用の吸引フアンの軸を支架する構成である。
【０００３】
【発明が解決しようとする課題】
従来装置にあっては、機体ケ−ス内に主モ−タを配置するため、機体幅が主モ−タの幅より広くなり、また、機体ケ−スの前部には、吸引フアンのフアン軸の両端部を支架するため、必然的に一定の機体幅を必要とし、機体幅を狭くするのに一定の限界があった。
【０００４】
この発明は、機体ケ−スに主モ−タを一部はみ出すようにして載置固定し、機体ケ−スの前部には小形のスペ−サ−を介して吸引フアンのフアン軸を支架するようにして、機体ケ−スの幅を狭くし、従来装置の欠点を解消しようとするものである。
【０００５】
【課題を解決するための手段】
この発明は、このような問題点を解決するために、次の技術的手段を講じた。即ち、この発明は、籾摺部１，揺動選別部３，混合米揚穀機４及び玄米揚穀機５を具備する籾摺選別機であって、機体の下部を構成する箱形の機体ケ−ス３１の内部には摺落米風選路１０で風選されて粃受樋１１に落下選別された粃を搬送する粃ラセン軸４４と、摺落米風選路１０で風選されて摺落米受樋１２に落下選別された玄米及び籾の混合米を搬送する摺落米ラセン軸５３とを備え、前記機体ケ−ス３１の後部には主モ−タ３２の一側部を左右一側にはみ出し状態で載置固定し、機体ケ−ス３１の前部には一側板の外側に取り付けられている軸受箱体３５及び他側板を介して吸引フアン１３のフアン軸１３ａを支架し、主モ−タ３２のはみ出し側のプ−リから伝動ベルト等の伝動装置を介して前記吸引フアン１３に動力を伝達する構成とし、前記機体ケ−ス３１の右側板には、メタルケ−ス４７を介して粃プ−リ４５を支架し、粃プ−リ４５の軸心部の多角形穴に前記粃ラセン軸４４の端部の多角形部を嵌合して一体的に回転する構成とし、前記粃プ−リ４５の外側部と混合米揚穀機４の下部の回転軸４９の内端部との間をカップリング５１を介して着脱自在に連結し、混合米揚穀機４の回転軸４９の外側にはプーリ５２を取り付け、前記摺落米ラセン軸５３の端部に摺落米プーリ５４を取り付け、前記プーリ５２と摺落米プーリ５４とを第４ベルト５５を巻回する構成としたことを特徴とする籾摺選別機の構成とした。
【０００６】
【作用】
機体ケ−ス３１の後部にケ−ス幅から外側にはみ出し状態に載置固定されている主モ−タ３２のプ−リから、伝動ベルト等の伝動装置を介して、機体ケ−ス３１の前部一側の軸受箱体３５及び他側の側板を介して支架されているフアン軸１３ａに動力が伝達されて、吸引フアン１２が回転駆動される。
また、前記機体ケ−ス３１の右側板には、メタルケ−ス４７を介して粃プ−リ４５を支架し、粃プ−リ４５の軸心部の多角形穴に前記粃ラセン軸４４の端部の多角形部を嵌合して一体的に回転する構成とし、前記粃プ−リ４５の外側部と混合米揚穀機４の下部の回転軸４９の内端部との間をカップリング５１を介して着脱自在に連結し、混合米揚穀機４の回転軸４９の外側にはプーリ５２を取り付け、前記摺落米ラセン軸５３の端部に摺落米プーリ５４を取り付け、前記プーリ５２と摺落米プーリ５４とを第４ベルト５５を巻回する構成としたことで、粃ラセン軸４４の動力は混合米揚穀機４の回転軸４９に伝達し、次いで混合米揚穀機の回転軸４９に伝達した動力は前記プーリ５２と摺落米プーリ５４を介して摺落米ラセン軸５３に伝達される。
【０００７】
【発明の効果】
この発明は、上述のように、機体ケ−ス３１に主モ−タ３２を外側にはみ出し状態に載置固定すると共に、機体ケ−ス３１の前部には吸引フアン１３のフアン軸１３ａを軸受箱体３５を介して支架する構成としたので、吸引フアン１３の支架部分を除いて機体ケ−ス３１の機体幅を狭くして小型化しながらコスト低減を図ることができ、また、軸受箱体３５によりフアン軸１３ａの軸架部の振動を低減できて、機体ケ−ス３１の耐久性を向上させることができる。
また、前記機体ケ−ス３１の右側板には、メタルケ−ス４７を介して粃プ−リ４５を支架し、粃プ−リ４５の軸心部の多角形穴に前記粃ラセン軸４４の端部の多角形部を嵌合して一体的に回転する構成とし、前記粃プ−リ４５の外側部と混合米揚穀機４の下部の回転軸４９の内端部との間をカップリング５１を介して着脱自在に連結し、混合米揚穀機４の回転軸４９と粃ラセン軸４４の軸心を合わせて接合し、混合米揚穀機４を機体ケ−ス３１に取り付けることにより、カップリング５１を介して伝動連結状態となり、組立て作業が容易になる。
【０００８】
【発明の実施の形態】
以下、図面に示すこの発明の実施例について説明する。まず、図１〜図４に基づき、籾摺選別機の全体構成について説明する。籾摺選別機は、籾摺をする籾摺部１，籾摺部１からの摺落米を風選する摺落米風選部２，摺落米風選部２での風選後の混合米を籾・玄米に分離選別する揺動選別部３，混合米揚穀機４及び玄米揚穀機５等により構成されている。
【０００９】
籾摺部１は、上部の籾ホッパ６，籾摺ロ−ル７，７の内装されている籾摺室８等で構成されている。摺落米風選部２は、摺落米風選箱９，摺落米風選路１０，粃受樋１１，摺落米受樋１２，吸引フアン１３，排塵筒１４等により構成されている。次に、揺動選別部３について説明する。
【００１０】
多段の揺動選別板１５，１５，…には、板面に選別用の凹凸あるいは選別凸条が形成されていて、縦方向の一側を高い供給側、他側を低い排出側とし、横方向の一方側を高い揺上側、反対側を低い揺下側として、揺動選別板１５の縦横２方向ともに傾斜した構成とし、揺動選別板１５，１５，…は揺動装置で、横方向斜め上下に往復揺動される構成である。
【００１１】
この揺動選別板１５，１５，…における供給側には供給口が構成されていて、摺落米受樋１２，混合米揚穀機４，混合米ホッパ２４，分配供給樋１６及び分配ケース１７を経由して、混合米が揺動選別板１５に供給される構成である。揺動選別板１５，１５，…に供給された混合米は、粒形の大小，比重の大小，摩擦係数の大小等の関係で、比重の重い小形の玄米は揺上側に偏流分布し、また、玄米に比較して大きく比重の軽い籾は、揺下側に偏流分布し、また、その中間部には分離されない籾・玄米の混合米が偏流分布しながら選別される。しかして、これらの選別穀粒は、揺動選別板１５の排出側に設けられている玄米仕切板１８及び籾仕切板１９で仕切られて取り出される。
【００１２】
取り出された玄米は、玄米取出樋２０，玄米流路２１，玄米揚穀機５を経て機外に取り出され、また、混合米は混合米取出樋２２，混合米流路２３，摺落米受樋１２，混合米揚穀機４，混合米ホッパ２４，分配供給樋１６，分配ケース１７を経て、揺動選別板１５，１５，…に供給されて再選別される。また、取り出された籾は、籾取出樋２５，籾流路２６，籾揚穀機２７を経て籾摺部１に揚穀還元されて、再度の籾摺がなされる構成である。
【００１３】
次に、籾摺選別機の作用について説明する。籾摺作業をする場合には、籾摺部１の籾ホッパ６に籾を供給し、籾摺選別機の回転各部を駆動する。次いで、籾ホッパ６から籾摺ロール７，７に籾を供給して籾摺し、摺落米を下方の摺落米風選路１０で風選する。軽い籾殻を吸引フアン１３，排塵筒１４を経て機外に排出し、比較的軽い粃粒は粃受樋１１に落下選別され、重い玄米及び籾の混合米は、摺落米受樋１２に落下選別される。
【００１４】
しかして、選別された混合米は、混合米揚穀機４，混合米ホッパ２４，分配供給樋１６及び分配ケース１７を経て、揺動選別板１５，１５，…に供給される。混合米は、揺動選別板１５が横方向斜上下に往復揺動されると、粒形の大小、比重の大小、摩擦係数の大小等の関係で、小形で比重の重い玄米は揺上側に偏流分布し、また、玄米に比較して大形で比重の軽い籾は揺下側に偏流分布し、また、その中間部には分離されない混合米が分布しつつ選別される。
【００１５】
揺動選別板１５，１５，…の排出側から流下した穀粒は、玄米仕切板１８及び籾仕切板１９で仕切られる。玄米仕切板１８で仕切られた玄米は、玄米取出樋２０，玄米流路２１及び玄米揚穀機５を経て機外に取り出され、また、玄米仕切板１８及び籾仕切板１９で仕切られた混合米は、混合米取出樋２２，混合米流路２３，混合米揚穀機４，混合米ホッパ２４，分配供給樋１６及び分配ケ−ス１７を経て揺動選別板１５に供給されて再選別され、また、籾仕切板１９で仕切られた籾は、籾取出樋２５，籾流路２６及び籾揚穀機２７を経て籾摺部１に還元されて再度の籾摺がされる。
【００１６】
次に、図５〜図７に示す実施例について説明する。３１は、籾摺選別機の機体下部を構成する機体ケ−スで、この機体ケ−ス３１は左右の側板，前後の側板，底部の複数の補強体で前後方向に長く上方を開放した箱形に構成し、その前部には摺落米風選路１０を構成する棚，案内板を固着して構成している。
【００１７】
機体ケ−ス３１の後部には、主モ−タ３２の側部を少し左右方向外側方に突出する状態で載置固定し、主モ−タ３２の軸には大モ−タプ−リ３３及び小モ−タプ−リ３４を取り付けている。また、機体ケ−ス３１の前部右側板外側には、中空の軸受箱体３５をボルト・ナットを介して固着し、機体ケ−ス３１の左側板及び前記軸受箱体３５に、メタルケ−ス，軸受を介して、吸引フアン１３のフアン軸１３ａを支架している。そして、軸受箱体３５の左右の幅を主モ−タ３２の右側板からの突出した長さと略同じに構成している。機体ケ−ス３１の右側板には多数の伝動用プ−リ，伝動ベルトを配置して、主モ−タ３２から機体各部に動力を伝達する構成である。
【００１８】
次に、主モ−タ３２から機体各部への動力伝動構成について説明する。主軸３７（定位置で回転する固定側の籾摺ロ−ル７を支架している。）に主プ−リ３８を取り付け、この主プ−リ３８と主モ−タ３２の大モ−タプ−リ３３との間に、第１伝動ベルト３６を巻回して、籾摺ロ−ル７，７を駆動する構成としている。また、主軸３７の小プ−リ３９，中間プ−リ４０，第２中間プ−リ４１及びフアン軸１３ａの吸引プ−リ４２の間に、第２伝動ベルト４３を巻回し、主軸３７の小プ−リ３９から吸引フアン１３に動力が伝達される構成である。
【００１９】
前記第２中間プ−リ４１と同軸の小中間プ−リ４３ａと、粃受樋１１の粃ラセン軸４４に取り付けられている粃プ−リ４５との間に、第３伝動ベルト４６を巻回して、粃ラセン軸４４を駆動する構成としている。次に、図７に基づき、粃プ−リ４５と粃ラセン軸４４の支持構成を説明する。機体ケ−ス３１の右側板には、メタルケ−ス４７を介して粃プ−リ４５を支架し、粃プ−リ４５の軸心部の多角形穴に前記粃ラセン軸４４の端部の多角形部を嵌合して、一体的に回転する構成としている。
【００２０】
混合米揚穀機４の下部には回転軸４９を軸支し、回転軸４９にバケット付きベルトを駆動するプ−リ５０を取り付けている。そして、前記粃プ−リ４５の外側部と回転軸４９の内端部との間を、カップリング５１を介して着脱自在に連結し、粃ラセン軸４４から混合米揚穀機４に動力を伝達する構成としている。混合米揚穀機４の回転軸４９の外側部には、プ−リ５２を取り付けている。摺落米受樋１２の摺落米ラセン軸５３の端部に摺落米プ−リ５４を取り付け、摺落米プ−リ５４と混合米揚穀機４側のプ−リ５２との間に、第４伝動ベルト５５を巻回し、粃ラセン軸４４から摺落米ラセン軸５３に動力を伝達する構成としている。
【００２１】
また、図６に示すように、機体ケ−ス３１の後部には、揺動駆動軸５７を支架し、揺動駆動軸５７の右側端部には大プ−リ５８，小プ−リ５９を取り付けている。この大プ−リ５８と中間プ−リ４０と同軸の中間小プ−リ５６との間に、第５伝動ベルト５９ａを巻回している。揺動駆動軸５７の左側端部には、玄米揚穀機５の揚穀羽根を取り付けている。揺動選別部３の下方には、揺動装置（図示省略）を駆動する揺動クランク軸６０を支架し、揺動クランク軸６０の右側端部に揺動プ−リ６１を取り付け、前記小プ−リ５９と揺動プ−リ６１との間に、揺動伝動ベルト６２を巻回している。しかして、中間小プ−リ５６から玄米揚穀機５及び揺動装置に動力が伝達される構成である。
【００２２】
なお、第１伝動ベルト３６，第２伝動ベルト４３，第３伝動ベルト４６，第４伝動ベルト５５及び第５伝動ベルト６２は、夫れ夫れテンションプ−リで適宜緊張される構成である。前記のように構成したので、機体ケ−ス３１の後部に主モ−タ３２の一部を外側方にはみ出し状態で取り付け、前部には機体ケ−ス３１の外側に軸受箱体３５を介在させて、吸引フアン１３のフアン軸１３ａを支架することにより、機体ケ−ス３１における軸受箱体３５以外の部分を幅の狭い構成とすることができて、材料の節約をしコストの低減を図り機体を小型化することができ、また、吸引フアン１３のフアン軸１３ａを強固に支持できて、振動を減少し耐久性を向上させることができる。
【００２３】
また、粃ラセン軸４４に混合米揚穀機４の回転軸４９を連結するにあたり、混合米揚穀機４の組み付けに先立ち、小中間プ−リ４３ａと粃プ−リ４５との間に広い空間を利用して第３伝動ベルト４６を掛け回すことができて、ベルト巻回作業が容易となる。また、混合米揚穀機４の回転軸４９と粃ラセン軸４４の軸心を合わせて接合し、混合米揚穀機４を機体ケ−ス３１に取り付けることにより、カップリング５１を介して伝動連結状態となり、組立て作業が容易になる。
【図面の簡単な説明】
【図１】 全体の切断側面図
【図２】 一部切断した背面図
【図３】 側面図
【図４】 平面図
【図５】 切断平面図
【図６】 要部の側面図
【図７】 切断平面図
【符号の説明】
１…籾摺部，２…摺落米風選部，３…揺動選別部，４…混合米揚穀機，５…玄米揚穀機，６…籾ホッパ，７…籾摺ロール，８…籾摺室，９…摺落米風選箱，１０…摺落米風選路，１１…粃受樋，１２…摺落米受樋，１３…吸引フアン，１４…排塵筒，１５…揺動選別板，１６…分配供給樋，１７…分配ケース，１８…玄米仕切板，１９…籾仕切板，２０…玄米取出樋，２１…玄米流路，２２…混合米取出樋，２３…混合米流路，２４…混合米ホッパ，２５…籾取出樋，２６…籾流路，２７…籾揚穀機，３１…機体ケ−ス，３２…主モ−タ，３３…大モ−タプ−リ，３４…小モ−タプ−リ，３５…軸受箱体，３６…第１伝動ベルト，３７…主軸，３８…主プ−リ，３９…小プ−リ，４０…中間プ−リ，４１…第２中間プ−リ，４２…吸引プ−リ，４３…第２伝動ベルト，４３ａ…小中間プ−リ，４４…粃ラセン軸，４５…粃プ−リ，４６…第３伝動ベルト，４７…メタルケ−ス，４９…回転軸，５０…プ−リ，５１…カップリング，５２…プ−リ，５３…摺落米ラセン軸，５４…摺落米プ−リ，５５…第４伝動ベルト，５６…中間小プ−リ，５７…揺動駆動軸，５８…大プ−リ，５９…小プ−リ，５９ａ…第５伝動ベルト，６０…揺動クランク軸，６１…揺動プ−リ，６２…揺動伝動ベルト
【図１】
0003728849.tif 000002
【図２】
0003728849.tif 000003
【図３】
0003728849.tif 000004
【図４】
0003728849.tif 000005
【図５】
0003728849.tif 000006
【図６】
0003728849.tif 000007
【図７】
0003728849.tif 000008